(57)【要約】【課題】偏平で奥行のあるケーシングであっても、そのフィルタ取付面にフィルタを容易に締付固定でき、かつ、フィルタの出し入れもスムーズに行なうことができるフィルタの締付機構を提供することである。【解決手段】フィルタ１の外枠部材８に、ケーシング２の挿入口から奥行方向に延びる操作軸１３を取り付けて、操作軸１３のカム１２に係合して上下動し、外枠部材８から上方のフィルタ収納用ガイド板４に押圧される押圧片１５を設け、フィルタ取付面６とガイド板４間のフィルタ収納空間にフィルタ１が挿入された後に、操作軸１３を回転操作して押圧片１５をガイド板４に押圧することにより、偏平で奥行のあるケーシング２であっても、その押圧反力でフィルタ１を取付面６に容易に締付固定でき、かつ、フィルタ１の出し入れもスムーズに行なえるようにした。【選択図】図３
2005103460.tif 000002
【特許請求の範囲】
【請求項１】
ケーシングのフィルタ収納用ガイド板とフィルタ取付面間に形成された所定間隔のフィルタ収納空間に、矩形状の外枠部で四周を囲われた所定厚さのフィルタを側方の挿入口から挿入して、この挿入されたフィルタを前記ケーシングの取付面に締付固定するフィルタの締付機構において、前記フィルタの外枠部に、前記ケーシングのガイド板に押圧される押圧片を設け、前記フィルタ収納空間にフィルタが挿入された後に、前記押圧片を前記ガイド板に押圧して、その押圧反力で前記取付面にフィルタを締付固定するようにしたことを特徴とするフィルタの締付機構。
【請求項２】
前記押圧片をガイド板に押圧する手段が、前記ケーシングの挿入口からフィルタ収納空間の奥行方向に延び、前記押圧片と係合する係合手段を有する操作軸を設け、この操作軸を回転操作することにより、前記係合手段との係合で前記押圧片をガイド板に押圧するものである請求項１に記載のフィルタの締付機構。
【請求項３】
前記押圧片をガイド板に押圧する手段が、前記ケーシングの挿入口からフィルタ収納空間の奥行方向に延び、前記押圧片と係合する係合手段を有する操作軸を設け、この操作軸を前記フィルタ収納空間の奥行方向に進退操作することにより、前記係合手段との係合で前記押圧片をガイド板に押圧するものである請求項１に記載のフィルタの締付機構。
【請求項４】
前記操作軸の係合手段が、操作軸の前記回転操作または進退操作で、前記押圧片を上下動させて前記ガイド板に押圧するものである請求項２または３に記載のフィルタの締付機構。
【請求項５】
前記前記操作軸の係合手段が、操作軸の前記回転操作または進退操作で、前記押圧片を回動させて前記ガイド板に押圧するものである請求項２または３に記載のフィルタの締付機構。
【請求項６】
前記ケーシングの挿入口に対する前記フィルタの左右の外枠部に、前記操作軸を１本ずつ設けた請求項２乃至５のいずれかに記載のフィルタの締付機構。
【請求項７】
前記操作軸に複数個の前記係合手段を設け、これらの各係合手段に前記押圧片を１つずつ係合させるようにした請求項２乃至６のいずれかに記載のフィルタの締付機構。
【請求項８】
前記押圧片を、前記フィルタの外枠部の内方へ退避するように付勢する手段を設けた請求項１乃至７のいずれかに記載のフィルタの締付機構。
【発明の詳細な説明】
【技術分野】
【０００１】
この発明は、ケーシングのフィルタ取付面へエアフィルタ等を締付固定するフィルタの締付機構に関するものである。
【背景技術】
【０００２】
空調用や各種機器用等のエアフィルタのケーシングには、フィルタ収納用ガイド板とフィルタ取付面による所定間隔の偏平なフィルタ収納空間が形成され、このフィルタ収納空間にフィルタが側方の挿入口から挿入されるようになったものがある。
【０００３】
このように偏平で奥行のあるケーシングでは、フィルタのフィルタ取付面への締付固定が難しいので、フィルタはケーシング挿入口の蓋で単に抜け止めされるのみで使用されることが多い。このため、フィルタとフィルタ取付面間でリークが生じ、フィルタの性能が低下する問題がある。
【０００４】
このようなケーシングにおけるフィルタの締付固定手段としては、フィルタ収納用ガイド板側にばね等の弾性部材を取り付け、フィルタをフィルタ取付面に押圧する方法が考えられるが、弾性部材が常にフィルタの外枠に当たるので、ケーシングへのフィルタの出し入れをスムーズに行なうことができない。
【発明の開示】
【発明が解決しようとする課題】
【０００５】
そこで、この発明の課題は、偏平で奥行のあるケーシングであっても、そのフィルタ取付面にフィルタを容易に締付固定でき、かつ、フィルタの出し入れもスムーズに行なうことができるフィルタの締付機構を提供することである。
【課題を解決するための手段】
【０００６】
上記の課題を解決するために、この発明は、ケーシングのフィルタ収納用ガイド板とフィルタ取付面間に形成された所定間隔のフィルタ収納空間に、矩形状の外枠部で四周を囲われた所定厚さのフィルタを側方の挿入口から挿入して、この挿入されたフィルタを前記ケーシングの取付面に締付固定するフィルタの締付機構において、前記フィルタの外枠部に、前記ケーシングのガイド板に押圧される押圧片を設け、前記フィルタ収納空間にフィルタが挿入された後に、前記押圧片を前記ガイド板に押圧して、その押圧反力で前記取付面にフィルタを締付固定する構成を採用した。
【０００７】
すなわち、フィルタの外枠部にケーシングのガイド板に押圧される押圧片を設け、フィルタ収納空間にフィルタが挿入された後に、押圧片をガイド板に押圧することにより、その押圧反力でフィルタを取付面に容易に締付固定でき、かつ、フィルタのケーシングへの出し入れもスムーズに行なうことができるようにした。
【０００８】
前記押圧片をガイド板に押圧する手段を、前記ケーシングの挿入口からフィルタ収納空間の奥行方向に延び、前記押圧片と係合する係合手段を有する操作軸を設け、この操作軸を回転操作または進退操作して、前記係合手段との係合で前記押圧片をガイド板に押圧するものとすることにより、ケーシングの挿入口で操作軸を操作して、押圧片のガイド板への押圧とその解除を容易に行うことができる。
【０００９】
前記操作軸の係合手段としては、操作軸の前記回転操作または進退操作で、前記押圧片を上下動または回動させて前記ガイド板に押圧する手段を採用することができる。
【００１０】
前記ケーシングの挿入口に対する前記フィルタの左右の外枠部に、前記操作軸を１本ずつ設けることにより、フィルタをバランスよく取付面に締付固定することができる。
【００１１】
前記操作軸に複数個の前記係合手段を設け、これらの各係合手段に前記押圧片を１つずつ係合させることにより、フィルタをより強固に取付面に締付固定することができる。
【００１２】
前記押圧片を、前記フィルタの外枠部の内方へ退避するように付勢する手段を設けることにより、フィルタの出し入れ時に押圧片が外枠部から突出するのを防止し、フィルタのケーシングへの出し入れをよりスムーズに行うことができる。押圧片を外枠部の内方へ付勢する手段としては、例えば、押圧片が上下動する場合は引張や圧縮のコイルばねを、押圧片が回動する場合は捩じりコイルばねを用いて付勢する手段を採用することができる。
【発明の効果】
【００１３】
この発明のフィルタの締付機構は、フィルタの外枠部にケーシングのガイド板に押圧される押圧片を設け、フィルタ収納空間にフィルタが挿入された後に、押圧片をガイド板に押圧するようにしたので、その押圧反力でフィルタを取付面に容易に締付固定でき、かつ、フィルタのケーシングへの出し入れもスムーズに行なうことができる。
【００１４】
前記押圧片をガイド板に押圧する手段を、前記ケーシングの挿入口からフィルタ収納空間の奥行方向に延び、前記押圧片と係合する係合手段を有する操作軸を設け、この操作軸を回転操作または進退操作して、前記係合手段との係合で前記押圧片をガイド板に押圧するものとすることにより、ケーシングの挿入口で操作軸を操作して、押圧片のガイド板への押圧とその解除を容易に行うことができる。
【００１５】
前記ケーシングの挿入口に対する前記フィルタの左右の外枠部に、前記操作軸を１本ずつ設けることにより、フィルタをバランスよく取付面に締付固定することができる。
【００１６】
前記押圧片を、フィルタの外枠部の内方へ退避するように付勢する手段を設けることにより、フィルタの出し入れ時に押圧片が外枠部から突出するのを防止し、フィルタのケーシングへの出し入れをよりスムーズに行うことができる。
【発明を実施するための最良の形態】
【００１７】
以下、図面に基づき、この発明の実施形態を説明する。図１乃至図４は、第１の実施形態を示す。図１（ａ）、（ｂ）は、第１の実施形態のフィルタの締付機構を採用したエアフィルタ１を示す。このフィルタ１のケーシング２は、吸気口３が設けられたフィルタ収納用ガイド板４と、排気口５が設けられたフィルタ取付面６との間に偏平なフィルタ収納空間が形成され、側方に設けられたフィルタ１の挿入口に開閉蓋７が取り付けられている。
【００１８】
前記フィルタ１は、矩形状に組み立てたＣ形アングル部材の外枠部材８で四周を囲い、その中に除塵や脱臭の機能を有するシート状機能材料をプリーツ折りしたろ材９を収納したものである。プリーツ折りしたろ材９は、吸気口３のあるガイド板４と排気口５のある取付面６にろ過面を向けて、ケーシング２に収納されるようになっており、外枠部材８の取付面６側には、リーク防止用のガスケット１１が取り付けられている。
【００１９】
前記ケーシング２の奥行方向の外枠部材８の外側面には、奥行方向で２つの係合手段としてのカム１２を設けられた操作軸１３が、２つの支持部材１４を介して回転可能に取り付けられ、上下動して外枠部材８から上方のガイド板４に押圧される押圧片１５が、各カム１２に係合されるようになっている。カム１２、支持部材１４および押圧片１５は、いずれもプラスチックで形成されている。図示は省略するが、ケーシング２の挿入口に対して反対側の奥行方向の外枠部材８にも、同様の操作軸１３が支持部材１４を介して取り付けられ、同様の押圧片１５がカム１２に係合されるようになっている。
【００２０】
図２（ａ）、図３（ａ）および図４（ａ）に示すように、前記押圧片１５は、ケーシング２のガイド板４に押圧される圧肉の頭部１５ａと、操作軸１３に止めねじ１６で固定されたカム１２に係合する薄肉で左右に張り出す基部１５ｂとから成り、その背面側には、上下に延びる３本の凸条１９が設けられている。
【００２１】
前記支持部材１４は、ねじ１７で外枠部材８に取り付けられ、中央部にカム１２と押圧片１５の頭部１５ａが嵌まり込む窓１８が設けられている。押圧片１５は、頭部１５ａの両側を窓１８の内側面に案内され、背面側の３本の凸条１９を外枠部材８の外側面に摺接させて上下動する。
【００２２】
前記窓１８の左右の柱部には、操作軸１３が通される左右方向に延びる下向きの溝２０と、押圧片１５の基部１５ｂが上下動自在に嵌まり込み、基部１５ｂを前面側へ抜け止めする凹部２１が設けられている。また、左右の柱部には、溝２０に向けて上方に開口する座ぐり部２２と、凹部２１に向けて下方に開口する座ぐり部２３とが設けられており、座ぐり部２２には、操作軸１３を上方に付勢する圧縮コイルばね２４が、座ぐり部２３には、押圧片１５の基部１５ｂを下方に付勢する圧縮コイルばね２５が組み込まれている。
【００２３】
図２（ｂ）、図３（ｂ）および図４（ｂ）に示すように、前記操作軸１３を各図中に矢印で示す方向に回転させると、カム１２に基部１５ｂで係合される押圧片１５が外枠部材８の上方に押出され、ケーシング２のガイド板４を押圧する。したがって、その押圧反力により、フィルタ１の外枠部材８がガスケット１１を介して取付面６に締付固定される。なお、フィルタ１をケーシング２に出し入れするときは、カム軸１３を図中の矢印と反対方向に回転させることにより、コイルばね２５で下方に付勢される各押圧片１５が、外枠部材８の内方に引っ込む。したがって、フィルタ１をケーシング２にスムーズに出し入れすることができる。
【００２４】
図５（ａ）、（ｂ）、（ｃ）は、第２の実施形態を示す。このフィルタの締付機構は、第１の実施形態と同様のエアフィルタ１に採用したものであり、その外枠部材８の外側面に支持部材２６を介して回転可能に取り付けられた操作軸１３に、ケーシング２の奥行方向で２箇所に係合手段としてのウォーム２７が設けられ、外枠部材８の外側面に軸部材２８で回動可能に取り付けられた２つの押圧片１５に、ウォーム２７と噛み合うギア２９が設けられている。したがって、この実施形態では、操作軸１３を回転操作することにより、ウォーム２７とギア２９の係合で各押圧片１５が回動してガイド板４に押圧される。
【００２５】
図６（ａ）、（ｂ）、（ｃ）は、第３の実施形態を示す。このフィルタの締付機構も第１の実施形態と同様のエアフィルタ１に採用したものであり、外枠部材８の外側面に支持部材３０を介して回転可能に取り付けられた操作軸１３に、ケーシング２の奥行方向で２箇所にウォーム２７が設けられている。各支持部材３０に設けられた中空の収納部３０ａには、ウォーム２７と噛み合い、内径面に雌ねじが切られたギアナット３１が回転自在に収納され、このギアナット３１の雌ねじに、雄ねじを切られた垂直な棒状の押圧片１５が螺合している。したがって、この実施形態では、操作軸１３を回転操作することにより、ウォーム２７との係合で回転するギアナット３１と螺合した各押圧片１５が上下動してガイド板４に押圧される。
【００２６】
図７（ａ）、（ｂ）、（ｃ）は、第４の実施形態を示す。このフィルタの締付機構も第１の実施形態と同様のエアフィルタ１に採用したものであり、外枠部材８の外側面に沿って設けられた操作軸１３が、ケーシング２の奥行方向に進退可能とされ、外枠部材８の外側面に軸部材３２で回動可能に取り付けられた２つの押圧片１５が、ピン３３による結合で操作軸１３の奥行方向の２箇所に係合されている。したがって、この実施形態では、操作軸１３を進退操作することにより、操作軸１３とピン結合で係合した各押圧片１５が回動してガイド板４に押圧される。
【００２７】
本発明に係るフィルタの締付機構は、上述した各実施形態のものに限定されることはなく、例えば、進退操作される操作軸に係合手段としての上向の楔面を設け、押圧片をこの楔面に係合させて上下動させる形態等も採用することができる。
【図面の簡単な説明】
【００２８】
【図１】ａは第１の実施形態のフィルタの締付機構を採用したプリンタ用エアフィルタを示す一部省略縦断正面図、ｂはａの正面図
【図２ａ】図１ｂの要部を拡大して示す切欠き正面図
【図２ｂ】図１ｂの要部を拡大して示す切欠き正面図
【図３】ａは図２ａのIIIa−IIIa線に沿った断面図、ｂは図２ｂのIIIb−IIIb線に沿った断面図
【図４】ａは図２ａのIVa−IVa線に沿った断面図、ｂは図２ｂのIVb−IVb線に沿った断面図
【図５】ａは第２の実施形態のフィルタの締付機構を締め付けた状態を示す切欠き正面図、ｂはａの側面図、ｃはａの締め付けを解除した状態を示す切欠き正面図
【図６】ａは第３の実施形態のフィルタの締付機構を締め付けた状態を示す切欠き正面図、ｂはａのVIb−VIb線に沿った断面図、ｃはａの締め付けを解除した状態を示す切欠き正面図
【図７】ａは第４の実施形態のフィルタの締付機構を締め付けた状態を示す切欠き正面図、ｂはａの側面図、ｃはａの締め付けを解除した状態を示す切欠き正面図
【符号の説明】
【００２９】
１  フィルタ
２  ケーシング
３  吸気口
４  ガイド板
５  排気口
６  取付面
７  開閉蓋
８  外枠部材
９  ろ材
１１  ガスケット
１２  カム
１３  操作軸
１４  支持部材
１５  押圧片
１５ａ  頭部
１５ｂ  基部
１６、１７  ねじ
１８  窓
１９  凸条
２０  溝
２１  凹部
２２、２３  座ぐり部
２４、２５  コイルばね
２６  支持部材
２７  ウォーム
２８  軸部材
２９  ギア
３０  支持部材
３０ａ  収納部
３１  ギアナット
３２  軸部材
３３  ピン
【図１】
2005103460.tif 000003
【図２ａ】
2005103460.tif 000004
【図２ｂ】
2005103460.tif 000005
【図３】
2005103460.tif 000006
【図４】
2005103460.tif 000007
【図５】
2005103460.tif 000008
【図６】
2005103460.tif 000009
【図７】
2005103460.tif 000010